【事件の表示】
　平成　４年特許願第１２５６７５号「映像連動音像定位装置」拒絶査定に対する審判事件〔平成　５年１１月１２日出願公開、特開平　５−３００５９７、請求項の数（２）〕について、次のとおり審決する。
【結　論】
　原査定を取り消す。
　本願の発明は、特許すべきものとする。
【理　由】
第１　【手続きの経緯、本願発明】
　本願は、平成４年４月１８日の出願であって、その請求項１及び２に係る発明は、平成１２年８月３日付け及び平成１４年１月１８日付けの手続補正書により補正された明細書及び図面の記載からみて、その特許請求の範囲の請求項１及び２に記載された次のとおりのものである。
「【請求項１】　映像信号と、効果音信号とを出力するとともに、映像の場面に応じて場面識別信号と音像位置指定信号とを出力する信号出力手段と、
　複数のフィルタ係数が記憶された係数メモリと、
　２つのＦＩＲフィルタによって構成され、第１の仮想スピーカの音像を定位する第１の音像定位手段と、
　２つのＦＩＲフィルタによって構成され、第２の仮想スピーカの音像を定位する第２の音像定位手段と、
　前記効果音信号を増幅して前記第１の音像定位手段へ印加する第１の増幅手段と、
　前記効果音信号を増幅して前記第２の音像定位手段へ印加する第２の増幅手段と、
　前記場面識別信号に基づいて前記係数メモリからフィルタ係数を読み出し、前記第１、第２の音像定位手段内のフィルタに設定し、また、前記音像位置指定信号に基づいて前記第１、第２の増幅手段の各増幅度を前記音像位置指定信号の値及び前記音像位置指定信号に対する１の補数の値に設定する制御手段と、
　前記第１の音像定位手段からのＬｃｈ、Ｒｃｈ出力信号と、前記第２の音像定位手段からのＬｃｈ、Ｒｃｈ出力信号とをそれぞれＬｃｈ、Ｒｃｈ毎に加算する第１、第２の加算器と、
　前記第１、第２の加算器の出力に基づいて効果音を発生する発音手段と、
　を具備してなる映像連動音像定位装置。
　【請求項２】　映像信号と、左右２チャンネルの音楽信号と、効果音信号とを出力するとともに、映像の場面に応じて場面識別信号と音像位置指定信号とを出力するゲーム機と、
　複数のスピーカと、
　前記効果音信号と、前記場面識別信号と、前記音像位置指定信号とを入力し、左右２チャンネル分の効果音信号を出力する音像定位装置と、
　前記音像定位装置からの出力信号と前記音楽信号とを加算する加算器と、
　前記加算器からの出力信号を増幅し、前記複数のスピーカを駆動するアンプと、
　からなり、
　前記音像定位装置は、
　前記効果音信号をそれぞれ入力信号とする第１、第２の乗算器と、
　前記第１、第２の乗算器からの出力信号を各々入力信号とする第１、第２の音像定位手段と、
　前記第１、第２の音像定位手段からの出力を加算する第１、第２の加算器と、
　前記場面識別信号と前記音像位置指定信号を入力し、前記第１、第２の乗算器と前記第１、第２の音像定位手段とを制御する制御部と、
　係数メモリと、
　からなり、
　前記第１、第２の音像定位手段は各々２つのＦＩＲフィルタによって構成され、前記第１、第２の乗算器からの出力信号に信号処理を施して効果音の始点位置、効果音の終点位置に第１、第２の仮想スピーカの音像を定位させ、
　前記制御部は、前記場面識別信号に基づいて前記係数メモリからフィルタ係数を読み出し、前記第１、第２の音像定位手段内のフィルタに設定し、かつ、前記音像位置指定信号に応じて前記第１、第２の乗算器の出力信号レベルを制御することで、前記効果音信号の音像定位位置を前記始点位置と前記終点位置との間に定位させることを特徴とする映像連動音像定位装置。」
　　　　　　　　　
第２　【引用例】
　これに対して、原審の拒絶理由で引用された特開平２−２０９１００号公報（以下「引用例１」という。）には、ステレオ音声付き情報処理システムに関し、メモリから画像データを読出して画像出力装置を通して画像を表示させるよう制御するとともに、画像データおよび音声制御データに、基づいて、画像表示装置に対応した音量比で左右のスピーカから音声を出力するよう制御すること、及び実施例として画面表示のためのスプライトデータのＸ座標に応じて左右のスピーカ２１，２２の音量比を決めることが記載されている。
　また、同じく引用された特開平４−３０７００号公報（以下「引用例２」という。）には、音像定位装置に関し、音像定位手段を並列に少なくとも２系列設け、定位位置を決定するパラメータデータを、各音像定位手段ごとに順次変化させ、かつ上記２系列のうち音声信号を出力する信号系列を選択することで、雑音を生じることなく、音像を移動すること、及び実施例として音像定位手段に１１により定位している第１の位置から僅かに移動した第２の位置に音像を定位させるパラメータを音像定位手段１２に設定し、そして乗数Ｃは或る期間１を維持し、その後１から０へ、乗数ＸＣは前記或る期間０を維持し、その後１から０へ両者の和が１となる関係を維持しつつ、変化させられ、これによって、音像定位手段１２はパラメータが設定されて、雑音が発生する期間は乗数ＸＣが０であるので、雑音は発生せず、円滑に第１の位置ｌから第２の位置に音像の定位を移動することが記載されている。
　また、同じく引用された特開平４−５３４００号公報（以下「引用例３」という。）には、移動感発生装置に関し、両耳差を創成する両耳差を創成回路を有して聴者の左右横方向より後方の虚音源を発生させるための虚音源創成手段を設けることにより、ダイナミックな移動感をローコストで表現可能にすることが記載されている。
　さらに、前置報告書において、慣用技術として報告された文献（以下「参考文献」という。）である実願平２−１２５１３１号（実開平３−１２８４００号）のマイクロフィルム、特開昭５８−２０６３００号公報及び実開平３−９７３００号公報には、それぞれ音像定位手段としてＦＩＲフィルタを用いることが記載されている。
　　　　　　　　　　　　　　　　　　
第３　【当審の判断】
　１　《請求項１について》
　本願の請求項１に係る発明と上記各引用例に記載された発明とを対比すると、引用例１には、ステレオ音声付き情報処理システムに関し、画面表示のためのスプライトデータのＸ座標に応じて左右のスピーカ２１，２２の音量比を決めること、また引用例２には、音像定位手段１１による音像が徐々に音像定位手段１２による音像へ移動すること、さらに引用例３には、移動感発生装置に関し、ダイナミックな移動感を表現することが、それぞれ記載されている。
　しかしながら、上記各引用例のいずれにも本願の請求項１に係る発明の主要な事項である「映像信号と、効果音信号とを出力するとともに、映像の場面に応じて場面識別信号と音像位置指定信号とを出力する信号出力手段」を備え、制御手段が、「前記場面識別信号に基づいて前記係数メモリからフィルタ係数を読み出し、前記第１、第２の音像定位手段内のフィルタに設定」する点の構成（以下「構成Ａ」という。）については何も記載がなく、示唆もない。
　また、上記参考文献には、音像定位手段としてＦＩＲフィルタを用いることは記載されているものの、本願の請求項１に係る発明の上記構成Ａについては記載がなく、示唆もない。
　以上のように、上記各引用例及び上記参考文献のいずれにも本願の請求項１に係る発明の上記構成Ａについて記載も示唆もないのであるから、本願の請求項１に係る発明が上記各引用例及び上記参考文献に記載の発明から容易になし得たとはいえない。
　そして、本願の請求項１に係る発明は、上記構成Ａを採用することによって「場面に応じて音像定位位置切り換え制御するようにしたので、全空間に対応して密に音像定位の信号処理を施す必要がなくなり、音像定位の信号処理装置が場面に対応した所定の少数で済むので、安価な映像連動音像定位装置を提供できる。」（明細書の【発明の効果】欄の記載）等の明細書記載の顕著な効果を奏するものと認められる。
　２　《請求項２について》
　本願の請求項２に係る発明は、本願の請求項１に係る「映像連動音像定位装置」を表現を代えて、さらに具体化したものであるから、上記本願の請求項１に係る発明について検討したことと同様の理由により、上記各引用例及び上記参考文献に記載の発明から容易になし得たとはいえない。
　　　　　　　　　　　　　　　　　　　
第４　【むすび】
　以上のとおりであるから、本願の請求項１及び２に係る発明が上記各引用例及び上記参考文献に記載された発明に基づいて当業者が容易に発明をすることができたという原審や前置報告の理由によっては本願を拒絶することはできない。
　また、他に本願を拒絶すべき理由を発見しない。
　よって、結論のとおり審決する。